(57)【要約】【課題】読み取り対象となる原稿を有効に利用する。【解決手段】ユーザの要求により形成された問題用紙がプリンタ１２６で形成されて出力される。その問題用紙に答案が記入された答案用紙をスキャナ１２４で読み取り、受付情報を読み取った答案用紙に追記する。このとき、スキャナ１２４から案内装置２９０により答案用紙は、案内経路２６４を経由して搬送経路２１４へ案内される。そして、受付情報が追記された答案用紙をさらにスキャナ１２４で読み取り、対応する模範解答などを受付情報が追記された答案用紙に追記することで採点結果用紙を形成する。従って、単一の原稿に問題形成、答案形成、解答形成の各形成がなされるので、単一の原稿を媒体として情報授受が可能となる。【選択図】　図１
2004112164.tif 000002
【特許請求の範囲】
【請求項１】
原稿に情報を付加して出力する原稿情報付加装置において、
原稿に形成された画像を読み取る読取手段と、
記録材料に画像を形成する画像形成手段と、
前記読取手段で読み取った原稿を、前記記録材料として前記画像形成手段へ搬送する搬送手段と、
前記原稿に形成された画像を読み取ったときに、該原稿を前記搬送手段により前記画像形成手段へ搬送させると共に、予め定めた付加情報を画像として前記画像形成手段により前記原稿に追加記録させ、情報付加原稿として出力するように、制御する制御手段と、
を備えたことを特徴とする原稿情報付加装置。
【請求項２】
予め定めた画像情報を記憶する記憶手段をさらに備え、
前記制御手段は、前記記憶手段から読み出した画像情報を前記付加情報とする
ことを特徴とする請求項１に記載の原稿情報付加装置。
【請求項３】
前記読取手段による読み取り画像に基づいて、前記原稿に形成された画像に含まれる予め定めた特定画像情報を検出する検出手段をさらに備え、
前記制御手段は、前記検出手段により前記特定画像情報を検出したときに、前記情報付加原稿を出力するように制御する
ことを特徴とする請求項１または請求項２に記載の原稿情報付加装置。
【請求項４】
前記制御手段は、前記検出手段により前記特定画像情報を含まないことが検出されたときに、前記原稿の読み取りを受け付けたことを表す受付情報を前記特定画像情報として生成しかつ、前記特定画像情報の画像を前記付加情報の画像として前記画像形成手段により前記原稿に追加記録された受付済み原稿を出力するように、制御する
ことを特徴とする請求項３に記載の原稿情報付加装置。
【請求項５】
前記記録材料へ予め定めた問題情報が記録された原稿を出力指示するための指示手段をさらに備え、
前記制御手段は、前記指示手段により出力指示されたときに、予め定めた問題情報を生成しかつ、該問題情報が画像として前記画像形成手段により記録された原稿を出力するように制御する
ことを特徴とする請求項１乃至請求項３の何れか１項に記載の原稿情報付加装置。
【請求項６】
前記問題情報が記録された原稿に追記する記入者を識別するための記入者情報を入力する入力手段をさらに備え、
前記制御手段は、入力された記入情報を含む識別情報を画像として前記画像形成手段により記録された原稿を出力するように制御する
ことを特徴とする請求項５に記載の原稿情報付加装置。
【請求項７】
前記制御手段は、前記問題情報を識別するための問題識別情報を含む識別情報を画像として前記画像形成手段により記録された原稿を出力するように制御する
ことを特徴とする請求項６に記載の原稿情報付加装置。
【請求項８】
前記制御手段は、前記識別情報の画像について判読不能画像として前記画像形成手段により記録されるように制御する
ことを特徴とする請求項６または請求項７に記載の原稿情報付加装置。
【請求項９】
前記制御手段は、前記識別情報を前記特定画像情報に含めて生成する
ことを特徴とする請求項６乃至請求項８の何れか１項に記載の原稿情報付加装置。
【請求項１０】
前記画像形成手段は、前記記録材料の両面に画像形成可能に構成し、前記制御手段は、前記原稿の読み取り側に少なくとも前記付加情報を画像として前記画像形成手段により追加記録されるように制御する
ことを特徴とする請求項１乃至請求項９の何れか１項に記載の原稿情報付加装置。
【請求項１１】
前記制御手段は、前記原稿の読み取り側の反対面に、予め定めた他情報を画像として前記画像形成手段により追加記録されるように制御する
ことを特徴とする請求項１０に記載の原稿情報付加装置。
【請求項１２】
前記画像形成手段は、多色画像形成可能に構成した
ことを特徴とする請求項１乃至請求項１１の何れか１項に記載の原稿情報付加装置。
【請求項１３】
前記原稿の出力に対応して予め定めた料金を課金する課金手段をさらに備え、
前記制御手段は、前記画像形成手段により原稿が出力されるときに、課金されるように前記課金手段を制御する
ことを特徴とする請求項１乃至請求項１２の何れか１項に記載の原稿情報付加装置。
【請求項１４】
画像情報を外部装置へ送信すると共に、前記外部装置から画像情報を受信する送受信手段をさらに備え、
前記制御手段は、前記送受信手段に対して前記読み取り手段で読み取った前記原稿に形成された画像を送信させかつ送信された画像に対応する追加画像を受信させると共に、該受信画像を前記付加情報による画像として前記画像形成手段により追加記録されるように、制御する
ことを特徴とする請求項１乃至請求項１３の何れか１項に記載の原稿情報付加装置。
【請求項１５】
原稿に情報を付加して出力する原稿情報付加システムにおいて、
請求項１４に記載の原稿情報付加装置と、
前記原稿情報付加装置と相互に情報を送受信するための外部送受信手段と、前記外部送受信手段で受信した前記原稿に形成された画像に対応する追加画像を生成する生成手段と、生成した追加画像を送信させるように制御する外部制御手段と、から構成された外部装置と、
を通信回線で接続して構成したことを特徴とする原稿情報付加システム。
【請求項１６】
原稿に形成された画像を読み取る読取手段と、
記録材料に画像を形成する画像形成手段と、
前記読取手段で読み取った原稿を、前記記録材料として前記画像形成手段へ搬送する搬送手段と、
を備えた原稿情報付加装置において、原稿に情報を付加する原稿情報付加方法であって、
前記原稿に形成された画像を読み取ったときに、該原稿を前記搬送手段により前記画像形成手段へ搬送させると共に、予め定めた付加情報を画像として前記画像形成手段により前記原稿に追加記録させ、情報付加原稿として出力するように、制御する
ことを特徴とする原稿情報付加方法。
【発明の詳細な説明】
【０００１】
【発明の属する技術分野】
本発明は、原稿情報付加装置、方法、及びシステムに係り、特に、印刷済みの原稿に追加情報を付加する原稿情報付加装置、方法、及びシステムに関する。
【０００２】
【従来の技術】
近年の電子機器技術の急速な向上に伴い、プリンタなどの画像形成装置やスキャナなどの画像読取装置、そしてファクシミリなどの画像伝送装置は多機能化及び高精度化が進んできている。これらの装置を用いて画像の受け渡しによる情報授受が盛んに行われており、画像伝送による遠隔地間における画像の授受や画像データの蓄積による任意のタイミングでの画像引き出しなどによる画像の授受が可能になってきている。
【０００３】
装置間で画像を授受する場合、紙媒体による画像と授受対象となる電子データ（画像データ）との関係を把握することが必要になる。ところが、紙媒体と電子データとは分離独立しており、連携が困難であった。
【０００４】
このため、デジタル文書と紙文書との間に情報の連続性・関連性を構築する文書情報管理システムが提案されている（例えば、特許文献１参照）。この技術では、媒体用紙に画像データなど関連するデータと連結する連結情報やその出力先を示す出力先情報などを予め記録しておき、媒体用紙から読み取った連結情報及び出力先情報を用いて対応する情報を指定した出力先へ出力することができる。
【０００５】
また、近年では多色高階調の画像を形成できる画像形成装置が広く流通しているが、単色の画像形成装置に比べるとコスト高であると共に、処理時間が増大することが知られている。そこで、白黒画像から多色画像を得ることが可能な画像形成装置も提案されている（例えば、特許文献２参照）。この技術では、繰り返しパターンを施した白黒の原画像をスキャナにより読み取り、原画像上の各領域のパターンと色を識別して対応する色に変換して画像形成することにより、多色画像を出力することができる。
【０００６】
さらに、このような装置間で画像を授受するものの一例として、任意の場所において試験問題の用紙出力や読み取り、そして採点や答案用紙を得る画像処理装置されている（例えば、特許文献３参照）。この技術では、スキャナなどで読み取った問題用紙である原稿の画像情報を登録し、送信手段で外部へ送信することで、外部で問題用紙を出力することができる。また、問題用紙上に回答が記載された答案用紙を原稿として読み取った画像情報を送信し、返信された採点結果をプリントする。外部装置における採点は、答案用紙の画像を認識して模範解答を導出し、返信している。これによって、任意の場所で問題用紙の出力や採点結果を得ることが可能になる。
【０００７】
【特許文献１】
特開平１０−２７５１５３号公報　（第４頁−第７頁、第１図）
【特許文献２】
特開平６−２５３１６０号公報　（第２頁−第３頁、第２図）
【特許文献３】
特開平８−５０５７７号公報　（第４頁−第５頁、第１図）
【０００８】
【発明が解決しようとする課題】
しかしながら、従来の技術では、読み取った画像に対して独立して画像形成するときに有効に機能するが、同一の内容を含んだ画像形成による媒体が増加する。すなわち、画像形成は、読み取った画像を再度出力するか、または指定した画像を合成して出力するという一定の方向性を有するものである。従って、得られるプリントなどの媒体は、情報の追加に伴って数量が増大する。このため、媒体管理が要求される。
【０００９】
本発明は、上記事実を考慮して、読み取り対象となる原稿を有効に利用することができる原稿情報付加装置、方法、及びシステムを提供することにある。
【００１０】
【課題を解決するための手段】
上記目的を達成するために本発明の原稿情報付加装置は、原稿に情報を付加して出力する原稿情報付加装置において、原稿に形成された画像を読み取る読取手段と、記録材料に画像を形成する画像形成手段と、前記読取手段で読み取った原稿を、前記記録材料として前記画像形成手段へ搬送する搬送手段と、前記原稿に形成された画像を読み取ったときに、該原稿を前記搬送手段により前記画像形成手段へ搬送させると共に、予め定めた付加情報を画像として前記画像形成手段により前記原稿に追加記録させ、情報付加原稿として出力するように、制御する制御手段と、を備えたことを特徴とする。
【００１１】
本発明の原稿情報付加装置では、制御手段の制御によって、読取手段により画像が読み取られた原稿が搬送手段により画像形成手段へ搬送される。画像形成手段は、記録材料に画像を形成するものであり、搬送された原稿を記録材料としてその原稿に予め定めた付加情報による画像を形成する。すなわち、制御手段は、原稿に形成された画像を読み取ったときに、原稿を搬送手段により画像形成手段へ搬送させ、予め定めた付加情報を画像として画像形成手段により原稿に追加記録させ、情報付加原稿として出力するように、制御する。
【００１２】
この追加記録される付加情報は、原稿に形成された画像を読み取ることに予め対応されている。従って、原稿から画像を読み取ったのちに、その原稿に付加情報による画像を追加記録でき、読み取りに利用した原稿に対して、情報追加が容易となる。
【００１３】
従って、本発明によれば、画像を読み取った原稿に対して、さらに画像を追加して形成することができ、原稿に形成された画像の読み取り処理と、その読み取りに対応する画像を形成する画像形成処理とを連携させることが可能になる。これによって、画像を読み取った原稿に追記記録できる、元画像（読み取った画像）への再帰的な処理が可能となる。
【００１４】
なお、このような、読取手段及び画像形成手段を備えた原稿情報付加装置の一例としては、スキャナ機能、複写機能、ファクシミリ機能など多種多様な出力機能を備えた「複合機」を適用することができる。
【００１５】
前記付加情報には、文字や図形などの情報があり、付加情報は予め記憶しておき読み取ってもよく、外部装置から受信してもよい。
【００１６】
前記付加情報は、予め記憶しておく場合、前記原稿情報付加装置に、予め定めた画像情報を記憶する記憶手段をさらに備える。そして、前記制御手段は、前記記憶手段から読み出した画像情報を前記付加情報とする。これにより、予め記憶手段に記憶した画像情報を、原稿に追記記録することが容易となる。
【００１７】
前記原稿情報付加装置は、前記読取手段による読み取り画像に基づいて、前記原稿に形成された画像に含まれる予め定めた特定画像情報を検出する検出手段をさらに備え、前記制御手段が、前記検出手段により前記特定画像情報を検出したときに、前記情報付加原稿を出力するように制御することができる。
【００１８】
原稿を読み取った後に付加情報の画像を付加する場合、読み取った原稿に対応する付加情報を付加することが好ましい。この場合、予め定めた特定画像情報を画像として原稿に形成しておき、その特定画像情報を検出して情報付加原稿を出力すれば、特定された原稿に対する追加情報を付加できる。そこで、原稿情報付加装置が原稿に形成された画像に含まれる予め定めた特定画像情報を検出する検出手段をさらに備える。この特定画像情報による画像は、前記読取手段による読み取り画像に含まれるので、制御手段が、検出手段により特定画像情報が検出されたときに、情報付加原稿を出力するように制御する。これによって、読み取った原稿に対応する付加情報を付加することができる。
【００１９】
前記原稿情報付加装置の前記制御手段は、前記検出手段により前記特定画像情報を含まないことが検出されたときに、前記原稿の読み取りを受け付けたことを表す受付情報を前記特定画像情報として生成しかつ、前記特定画像情報の画像を前記付加情報の画像として前記画像形成手段により前記原稿に追加記録された受付済み原稿を出力するように、制御することができる。
【００２０】
原稿に予め定めた特定画像情報が画像として形成されていない場合、前記検出手段で検出されることはない。ところが、原稿を読み取ったこと自体を原稿に付加する要求がある。そこで、検出手段により特定画像情報を含まないことが検出されたとき、制御手段が原稿の読み取りを受け付けたことを表す受付情報を特定画像情報として生成しかつ、特定画像情報の画像を付加情報の画像として画像形成手段により原稿に追加記録された受付済み原稿を出力するように、制御する。このようにすることで、原稿にはその原稿を読み取ったこと、すなわち原稿の読み取りを受け付けたことを表す受付情報を原稿に付加でき、次回の読み取り時には、その受付情報に対応する情報を追加記録することができる。
【００２１】
前記原稿情報付加装置は、前記記録材料へ予め定めた問題情報が記録された原稿を出力指示するための指示手段をさらに備え、前記制御手段が、前記指示手段により出力指示されたときに、予め定めた問題情報を生成しかつ、該問題情報が画像として前記画像形成手段により記録された原稿を出力するように制御することができる。
【００２２】
原稿に対して追加記録するものとして、答案用紙や解答用紙などの用紙がある。これらの用紙には、問題が記録されており、予め定めた解答欄に答えを記入する場合がある。問題が記録された原稿には、その答案が記入され、その記入された答案に対する解答や採点がなされ、その結果がさらに追記される。このような追記を行う装置として、本発明の原稿情報付加装置が好適である。すなわち、前記原稿情報付加装置に、記録材料へ予め定めた問題情報が記録された原稿を出力指示するための指示手段をさらに備える。これによって、答案用紙や解答用紙などの原稿の出力指示が可能となる。そして、制御手段は、指示手段による出力指示で、予め定めた問題情報を生成しかつ、該問題情報が画像として前記画像形成手段により記録された原稿を出力するように制御する。これによって、答案用紙や解答用紙などの原稿が出力される。この答案用紙や解答用紙などの原稿は、次回、答案が記入された後に読み取られて、読み取られた原稿の画像すなわち答案に対する解答などの情報を追加記録することができる。
【００２３】
前記原稿情報付加装置は、前記問題情報が記録された原稿に追記する記入者を識別するための記入者情報を入力する入力手段をさらに備え、前記制御手段が、入力された記入情報を含む識別情報を画像として前記画像形成手段により記録された原稿を出力するように制御することができる。
【００２４】
原稿を読み取るときには、答案を作成した作成者すなわちその原稿を所有し原稿に追記する記入者を識別することで、記入者毎に付加情報を選択したり読み取り画像を記憶することが容易となる。そこで、前記原稿情報付加装置が、問題情報が記録された原稿に追記する記入者を識別するための記入者情報を入力する入力手段をさらに備える。そして、制御手段が、入力された記入情報を含む識別情報を画像として前記画像形成手段により記録された原稿を出力するように制御する。これにより、原稿には、読取手段で読み取り可能な形式で記入者を識別することが可能な画像を追加することができる。
【００２５】
前記原稿情報付加装置の前記制御手段は、前記問題情報を識別するための問題識別情報を含む識別情報を画像として前記画像形成手段により記録された原稿を出力するように制御することができる。
【００２６】
また、原稿を所有し原稿に追記する記入者に対して問題を提供する場合、どの問題を提供したかを識別する必要がある。そこで、制御手段は、問題情報を識別するための問題識別情報を含む識別情報を画像として画像形成手段により記録された原稿を出力するように制御する。これにより、原稿には、読取手段で読み取り可能な形式で問題を識別することが可能な識別情報を画像として追加することができる。
【００２７】
前記原稿情報付加装置の前記制御手段は、前記識別情報の画像について判読不能画像として前記画像形成手段により記録されるように制御することができる。
【００２８】
前記記入者情報や問題情報などの識別情報は、第三者に認知されることを望まない場合がある。そこで、制御手段が、識別情報の画像について判読不能画像として画像形成手段により記録されるように制御することで、識別情報を第三者が認知することが困難になる。この判読不能画像は、読取手段で読み取り可能な画像でかつ目視によって判読が困難な画像であればよく、一例として認知が困難な色による画像や１次元バーコードや２次元コードなどの画像がある。また、判読不能画像として、他の画像に埋め込んだり電子スカシなどを用いたりして目視による識別情報のみの画像認知を困難とすることでもよい。この場合には、原稿に記録されている本来の画像の確認を妨げることはない。
【００２９】
前記制御手段は、前記識別情報を前記特定画像情報に含めて生成することができる。特定画像情報に識別情報を含めることで、１つの画像に複数の情報を混在させることが可能となる。
【００３０】
前記原稿情報付加装置では、前記画像形成手段を、前記記録材料の両面に画像形成可能に構成し、前記制御手段は、前記原稿の読み取り側に少なくとも前記付加情報を画像として前記画像形成手段により追加記録されるように制御することができる。
【００３１】
画像形成手段には、記録材料の両面に画像形成可能に構成したものがる。この場合、制御手段は、原稿の読み取り側に少なくとも付加情報を画像として画像形成手段により追加記録されるように制御することで、付加情報による画像は原稿の読み取り側に追記されるので、原稿を読み取るときに追記された付加情報による画像を確実に読み取ることができる。
【００３２】
前記原稿情報付加装置の制御手段は、前記原稿の読み取り側の反対面に、予め定めた他情報を画像として前記画像形成手段により追加記録されるように制御することができる。
【００３３】
原稿の読み取り側の反対面は、空白領域が多い場合がある。そこで、制御手段は、前記原稿の読み取り側の反対面に、予め定めた他情報を画像として画像形成手段により追加記録されるように制御することで、空白領域を有効に利用することができる。
【００３４】
なお、前記原稿情報付加装置の画像形成手段は、多色画像形成可能に構成することができる。
【００３５】
前記原稿情報付加装置は、前記原稿の出力に対応して予め定めた料金を課金する課金手段をさらに備え、前記制御手段が、前記画像形成手段により原稿が出力されるときに、課金されるように前記課金手段を制御することができる。
【００３６】
前記原稿の出力に対しては、課金することが可能である。すなわち、目的とする処理が施された原稿を出力しようとする場合、その原稿の画像を読み取ったり画像を形成して出力しようとしたりするときに料金が生じることがある。そこで、これらについて課金し、ユーザから徴収するようにすれば、処理にあって生じた料金を確実に徴収することができる。
【００３７】
前記原稿情報付加装置は、画像情報を外部装置へ送信すると共に、前記外部装置から画像情報を受信する送受信手段をさらに備え、前記制御手段が、前記送受信手段に対して前記読み取り手段で読み取った前記原稿に形成された画像を送信させかつ送信された画像に対応する追加画像を受信させると共に、該受信画像を前記付加情報による画像として前記画像形成手段により追加記録されるように、制御することができる。
【００３８】
読み取った画像を利用する場合、原稿情報付加装置においての利用も可能であるが、外部装置において利用する場合もある。そこで、原稿情報付加装置が、画像情報を外部装置へ送信すると共に、外部装置から画像情報を受信する送受信手段をさらに備える。これにより、無線や有線の通信回線を介して、原稿情報付加装置と外部装置との間で、画像情報を授受することができる。この場合、制御手段が、送受信手段に対して読み取り手段で読み取った原稿に形成された画像を送信させかつ送信された画像に対応する追加画像を受信させると共に、該受信画像を前記付加情報による画像として前記画像形成手段により追加記録されるように、制御する。これによって、外部装置からの付加情報による画像を原稿に形成することができる。
【００３９】
前記原稿情報付加装置は、次の原稿情報付加システムによって遠隔地間などにおける相互の画像情報の授受実現を実現することができる。具体的には、原稿に情報を付加して出力する原稿情報付加システムにおいて、前記原稿情報付加装置と、前記原稿情報付加装置と相互に情報を送受信するための外部送受信手段と、前記外部送受信手段で受信した前記原稿に形成された画像に対応する追加画像を生成する生成手段と、生成した追加画像を送信させるように制御する外部制御手段と、から構成された外部装置と、を通信回線で接続して構成したことを特徴とする。
【００４０】
また、原稿情報付加装置において実行される処理は、次の原稿情報付加方法によって達成可能な制御手段を含んでいる。具体的には、原稿に形成された画像を読み取る読取手段と、記録材料に画像を形成する画像形成手段と、前記読取手段で読み取った原稿を、前記記録材料として前記画像形成手段へ搬送する搬送手段と、備えた原稿情報付加装置において、原稿に情報を付加する原稿情報付加方法であって、前記原稿に形成された画像を読み取ったときに、該原稿を前記搬送手段により前記画像形成手段へ搬送させると共に、予め定めた付加情報を画像として前記画像形成手段により前記原稿に追加記録させ、情報付加原稿として出力するように、制御することを特徴とする。
【００４１】
【発明の実施の形態】
以下、図面を参照して本発明の実施の形態の一例を詳細に説明する。本実施の形態では、原稿に関係する処理を実行するための画像処理装置において実行可能に構成している。
【００４２】
図１には、本実施の形態にかかる、原稿に関係する処理を実施する画像処理装置１１０の概略構成が示されている。画像処理装置１１０は、主要な機構部として、スキャナ１２４、及びプリンタ１２６を含んで構成されている。
【００４３】
画像処理装置１１０のプリンタ１２６は、メインユニット２００と、メインユニット２００の上面に位置する排出トレイ２０２と、メインユニット２００の側面（図１では左側壁面）に配設された手差しトレイ２０６と、メインユニット２００の下部側に設置された複数の給紙トレイ２０８（本実施の形態では３段）とから構成されている。
【００４４】
メインユニット２００の内部には、光学系の走査出力部２０４、Ｙ、Ｍ、Ｃ、Ｋの各色用のトナーカートリッジ部２０９、及び記録用紙Ｐを光学系の走査出力部２０４側に搬送したり走査出力部２０４にて画像出力された記録用紙Ｐを排出トレイ２０２に排出させたりするための各種ロール２１０を含む搬送経路２１４が収容されている。
【００４５】
メインユニット２００の下部に配設された給紙トレイ２０８は、搬送ロール２１６や用紙センサ２１８からなるフィーダ部２２０と、所定サイズの記録用紙Ｐを収容するための用紙カセット２２２とから構成されている。フィーダ部２２０は、用紙カセット２２２から記録用紙Ｐを１枚ずつ取出してメインユニット２００内の搬送経路２１４へ送り出す。
【００４６】
光学系の走査出力部２０４の上部には、一方向に順次一定間隔においてＹ、Ｍ、Ｃ、Ｋの各色毎に並設された転写部２３２が設けられている。走査出力部２０４は、画像記録信号に基づいた画像を潜像として感光体であるドラムに形成するため、レーザ光源、ポリゴンミラーやその他のミラー等からなる書込走査光学系を含んでいる。転写部２３２は、ドラムを含んでおり、このドラムに走査出力部２０４からのレーザー光が照射され、ドラムに画像記録信号に基づく画像が形成される。転写部２３２は、このドラム上の画像を中間転写体ベルト２２８に転写する。この中間転写体ベルト２２８の転写画像部分と、搬送された記録用紙Ｐとを転写ロール２３０で挟持することにより画像を記録用紙Ｐに画像出力することができる。
【００４７】
なお、詳細な説明は省略するが、各色用の転写部２３２には、ドラムが配設され、その周囲には、帯電器と、現像器と、が設けられている。また、中間転写体ベルト２２８は、複数のベルト搬送ロールに巻き掛けられ、また、ベルトクリーニングユニットが設けられている。
【００４８】
搬送経路２１４上（の転写ロール２３０の記録用紙Ｐの排出側）には、転写ロール２３０から送り出された画像出力済の記録用紙Ｐを排出するために、転写ロール２３０の記録用紙Ｐの搬送方向下流側に、定着ロール２４８、定着排出ロール２５０等の種々の搬送ロールが設けられている。また、排出トレイ２０２には、メインユニット２００から送られた記録用紙Ｐを機外に排出するための排出ロール２５２が設けられている。これら、定着排出ロール２５０及び排出ロール２５２による記録用紙Ｐの搬送経路として排出搬送経路２３４が形成される。
【００４９】
上記構成により、走査出力部２０４において各色用のレーザ光源が画像信号によって駆動され、駆動されたレーザ光をドラムに向けて照射することにより、帯電されたドラム上に静電潜像が形成される。この静電潜像は、各色用のトナーカートリッジ部２０９から各色のトナーが供給される現像器によってトナー像が形成され、そのトナー像が中間転写体ベルト２２８に転写される。転写後は、クリーナによって余分なトナーが除去される。すなわち、各色の静電潜像が順次形成されると、順次トナー像とされ、各トナー像は、中間転写体ベルト２２８上に順次転写される。この転写後は、中間転写体ベルト２２８の画像が転写された部位が、転写ロール２３０の方向に搬送される。
【００５０】
一方、搬送経路２１４では、記録用紙Ｐを搬送しつつ記録用紙Ｐに画像出力する。すなわち、中間転写体ベルト２２８上の転写画像部分と記録用紙Ｐとを転写ロール２３０で挟持しながら下流側に搬送することにより、記録用紙Ｐに画像を出力する。このようにＹ、Ｍ、Ｃ、Ｋの各色のトナー像が順次多重転写された記録用紙Ｐは、中間転写体ベルト２２８から剥離され、定着ロール２４８によってトナー像が熱定着され、トナー像が記録用紙Ｐに固着し、その後、排出トレイ２０２等の機外へ排出される。
【００５１】
また、メインユニット２００の側面（図１で左側の壁面側）には手差しトレイ２０６が装着されている。この手差しトレイ２０６は、ユーザ側で用意した記録用紙Ｐを挿入させて、挿入された記録用紙Ｐに画像を記録する機能を達成するための挿入部分である。手差しトレイ２０６のメインユニット２００側の内部には、挿入された記録用紙Ｐを検出するための用紙検出センサ２２６、及び挿入された記録用紙Ｐを搬送すると共に搬送経路２１４へ案内する搬送ローラ２１２が設けられている。なお、搬送ローラ２１２で搬送される記録用紙Ｐの経路は、手差し搬送経路２２４を構成する。
【００５２】
この手差し搬送経路２２４上には、挿入された記録用紙Ｐに形成されている画像を読み取るためのＣＣＤセンサなどの画像読取センサ２６０が設けられている。従って、手差しトレイ２０６から記録用紙Ｐを挿入した場合であっても、記録用紙Ｐに形成されている画像を読み取ることができる。この画像読取センサ２６０は、手差しトレイ２０６を含む手差しモジュールに含まれて構成されており、手差しモジュールがプリンタ１２６に対して着脱可能に構成されて、着脱に応じて画像読取センサ２６０も着脱される。
【００５３】
また、メインユニット２００の側面（図１の左側の壁面で手差しトレイ２０６より上部側）には両面モジュール２５４が装着されている。この両面モジュール２５４は、記録用紙Ｐをスイッチバックさせて、画像記録面を反転させる役目を有しており、この両面モジュール２５４の装着によって両面に画像を形成することが可能となる。なお、この両面モジュール２５４は、メインユニット２００に対して着脱可能である。
【００５４】
なお、この両面モジュール２５４は、記録用紙Ｐの表裏の向きを反転するための反転機構としても適用されるようになっている。すなわち、排出トレイ２０２から排出する記録用紙Ｐの画像形成面が上向きとなるフェイアップ形態にしたり、画像形成面が下向きとなるフェイスダウン形態にしたりする設定が可能となる。
【００５５】
上記メインユニット２００の上部には、スキャナ１２４が設けられている。スキャナ１２４は、１または複数の原稿を紙送り制御をしながら各原稿から画像を読み取るために、原稿を紙送りする紙送り機構２６６と、原稿から画像を読み取る光学機構部２６８とから構成されている。
【００５６】
紙送り機構２６６は、光学機構部２６８のカバーの役目も兼用しており、旋回による開閉が可能な構成になっている。光学機構部２６８の上部（紙送り機構２６６側）は、読取可能範囲を少なくとも含む透明ガラスなどの透過材料による原稿載置部２７０を有している。この原稿載置部２７０に対応して、原稿からの読取可能範囲（図１の例では、位置Ａから位置Ｂの範囲）を可動可能に構成した読取部２７２が設けられている。読取部２７２は、図示しない露光部と検出部とから構成されており、読取部２７２が移動しながら、図示しない露光部から照射された光が原稿で反射され、これを検出部で検出することで原稿に形成された画像を読み取る構成になっている。これにより、所謂フラットベッドタイプのスキャナとして機能する。
【００５７】
読取部２７２は、紙送り機構２６６により挿入される原稿を読み取る時には、所定位置（図１の例では位置Ｘ）へ移動される。紙送り機構２６６は、原稿載置台２８０と、その下面に位置する排出トレイ２８２と、原稿載置台２８０から原稿を取り出して、排出トレイ２８２へ排出する搬送機構２８４とから構成されている。搬送機構２８４は、原稿検出センサ２８６及び回転ローラ２８８をを備えている。搬送機構２８４では、原稿載置台２８０に載置された原稿を１枚ずつ取り出して、その原稿が回転ローラ２８８により周回され、回転ローラ２８８の下部方向に位置する読取部２７２に原稿を通過させる。この原稿の移動に伴って排出トレイ２８２の図示しない露光部から照射された光が原稿で反射され、これを検出部で検出することで原稿に形成された画像を読み取る構成になっている。
【００５８】
搬送機構２８４には、読み取った原稿をプリンタ１２６へ案内する案内装置２９０が取り付けられている。案内装置２９０は、複数の搬送ローラ２９２を備えており、搬送機構２８４で搬送されて読み取りが終了した原稿を搬送経路２１４へ案内する案内経路２６４を構成している。
【００５９】
なお、案内装置２９０で搬送経路２１４へ案内する原稿は、搬送機構２８４による搬送で読み取りが終了した原稿をスイッチバックさせて、挿入される。なお、読取部２７２の下流側に案内装置２９０を設ければスイッチバックをする必要はない。
【００６０】
上述の画像処理装置１１０は、コンピュータ処理された文書やイメージを印刷するプリンタである以外に、上述のスキャナ機能や、複写機能、そしてファクシミリ機能など多種類の機能サービスなど他の機能も提供する「複合機」で構成することができる。
【００６１】
なお、上記読取部２７２及び画像読取センサ２６０は、本発明の読取手段に相当し、走査出力部２０４、転写部２３２、中間転写体ベルト２２８及び転写ロール２３０は本発明の画像形成手段に相当する。また、原稿を案内経路２６４から搬送経路２１４へ案内するための案内装置２９０は、本発明の搬送手段に相当する。
【００６２】
また、画像処理装置１１０のＣＰＵ１１２、ＲＯＭ１１４、ＲＡＭ１１６を含んで構成したコンピュータの制御部分は本発明の制御手段に相当する。また、メモリ１２０は本発明の記憶手段に相当し、キーボード１２８は指示手段及び入力手段の指示及び入力の機能部に相当し、コインキット１３２は課金手段に相当する。また、通信装置１２２は本発明の送受信手段に相当する。
【００６３】
上述の画像処理装置１１０は、通信回線に接続可能に構成することで、その通信回線を介して外部装置とデータ通信が可能になり、授受するデータの自由度を増加できる。そこで、本実施の形態では、コンピュータやＰＤＡ等の情報端末を無線または有線でネットワーク接続可能なコンピュータ・ネットワーク・システムに、上記画像処理装置１１０を接続可能に構成した場合に、本発明を適用することも可能である。
【００６４】
図２には、本発明の実施に供される原稿情報付加システム１００としてコンピュータ・ネットワーク・システムの構成を模式的に示している。すなわち原稿情報付加システム１００として所謂コンピュータ・ネットワーク・システムで構成されており、インターネットやその他の小規模ネットワークとしてのＬＡＮ（Ｌｏｃａｌ　Ａｒｅａ　Ｎｅｔｗｏｒｋ）などのネットワークや、公衆電話網などで代表される通信網を含んで構成された通信回線１０２に、後述する各種装置が接続されて構成されている。
【００６５】
インターネットで代表される通信回線１０２には、ユーザが原稿（問題用紙）を入出力するための画像処理装置１１０、原稿に対する情報を処理する処理サーバ１４０、原稿（問題用紙）に対する答案作成処理や採点処理を実施する採点者コンピュータ１７０、及び各種のデータを蓄積する蓄積サーバ１８１が接続されている。これらのコンピュータは、通信回線１０２を介して、相互通信により情報授受が可能な構成である。例えば、ネットワークによりデータを授受するネットワーク回線１０４、通信網を利用した通信網回線（例えばＦａｘ回線）１０６を経由して、各々にアクセスが可能である。
【００６６】
なお、これらのサーバなどのコンピュータは各々１台ずつとして説明するが、本発明は、これに限定されるものではなく、複数台でもよく、またこれらのサーバを纏めて構成してもよい。
【００６７】
また、上記通信回線１０２を介してデータを送受信する場合、アクセス位置（アクセス先のサーバ等の位置、及びサーバ等内の情報の位置で構成されるデータ）は、ＵＲＬ（Ｕｎｉｆｏｒｍ　Ｒｅｓｏｕｒｃｅ　Ｌｏｃａｔｏｒ）やＩＰアドレス、または電話番号などで指定することができる。
【００６８】
〔画像処理装置１１０〕
画像処理装置１１０は、原稿に関する画像の読み取り及び画像の形成を行うものである。これらの処理は、画像処理装置１１０内で実行してもよいし、ＣＧＩ（Ｃｏｍｍｏｎ　Ｇａｔｅｗａｙ　Ｉｎｔｅｒｆａｃｅ）などの遠隔手続き呼び出しを利用して通信回線１０２上の他のサーバなどのコンピュータに委ねてもよい。
【００６９】
上述の画像処理装置１１０の電装部分の主要な構成は、ＣＰＵ１１２、ＲＯＭ１１４、及びＲＡＭ１１６を有し、入出力インタフェース（以下、Ｉ／Ｏという）１１８を介して相互にデータやコマンドを授受可能に構成されたコンピュータを含んでいる。このＩ／Ｏ１１８にはメモリ１２０、通信装置１２２、スキャナ１２４、プリンタ１２６、キーボード１２８、ディスプレイ１３０，及びコインキット１３２が接続されている。
【００７０】
通信装置１２２は、主に、他のコンピュータとの情報授受を実施する機能部である。また、スキャナ１２４は、原稿から画像を読み取る機能部であり、プリンタ１２６は原稿に画像を追記したり記録用紙Ｐにが画像を形成したりする機能部である。なお、メモリ１２０には各種データが格納されている。
【００７１】
なお、画像処理装置１１０には、課金処理機能を付随することができる。この課金処理機能は、画像処理装置１１０において実行される処理に対して生じる料金をユーザに対して求める（徴収する）機能である。この課金処理機能は、コインキット１３２が実質的な料金徴収機能を担当しており、コインキット１３２は画像処理装置１１０において実行される処理に対して課金処理を施す際に、料金徴収を行う機構部分である。
【００７２】
〔処理サーバ１４０〕
処理サーバ１４０は、ＣＰＵ１４２、ＲＯＭ１４４、及びＲＡＭ１４６を有し、Ｉ／Ｏ１４８を介して相互にデータやコマンドを授受可能に構成されたコンピュータを含んでいる。このＩ／Ｏ１４８にはメモリ１５０、通信装置１５２、スキャナ１５４、プリンタ１５６、キーボード１５８、及びディスプレイ１６０が接続されている。
【００７３】
処理サーバ１４０は、ネットワーク上に存在する原稿を読み取り可能なプリンタを含む画像処理装置１１０の管理と、通信回線１０２上で発行されたプリント要求などの情報要求を統括的に制御することができる。
【００７４】
すなわち、この処理サーバ１４０は、クライアント（画像処理装置１１０など）からの情報要求に応じて（答案用紙を形成するための）問題情報を出力したり、答案情報（ユーザにより答案用紙に書き込まれた画像）を受け取ったり、答案情報に対する解答情報（問題情報の解答や採点など）を出力したりするなどの情報処理の制御・管理を行う。
【００７５】
〔採点者コンピュータ１７０〕
採点者コンピュータ１７０は、ＣＰＵ１７２、ＲＯＭ１７４、及びＲＡＭ１７６を有し、Ｉ／Ｏ１７８を介して相互にデータやコマンドを授受可能に構成されたコンピュータを含んでいる。このＩ／Ｏ１７８にはメモリ１８０、及び通信装置１８２が接続されている。
【００７６】
採点者コンピュータ１７０は、問題用紙に形成されるべき問題情報を作成したり、答案用紙に書き込まれた答案を採点したりする採点者に属するコンピュータである。採点者コンピュータ１７０は、問題情報や解答情報などのコンテンツの保管・検索・一覧を行うことができる管理機能と、指定された問題や解答のコンテンツを抽出しかつ出力送信する出力機能とを含んでいる。なお、採点者コンピュータ１７０の機能は処理サーバ１４０において実行することができる。
【００７７】
〔蓄積サーバ１８１〕
蓄積サーバ１８１は、ＣＰＵ１８２、ＲＯＭ１８４、及びＲＡＭ１８６を有し、Ｉ／Ｏ１８８を介して相互にデータやコマンドを授受可能に構成されたコンピュータを含んでいる。このＩ／Ｏ１８８にはメモリ１９０、及び通信装置１９２が接続されている。
【００７８】
蓄積サーバ１８１は、問題用紙となる原稿に属するデータやデータベースを取り扱うことができる。蓄積サーバ１８１は、コンテンツの保管・検索・一覧を行うことができる管理機能と、指定されたデータから管理機能を用いてコンテンツを抽出しかつ出力送信する出力機能とを含んでいる。これにより、クライアントで指定された位置のデータを抽出し、出力することができる。具体的には、蓄積サーバ１８１は、管理機能を有する。すなわち、データを作成する元となるコンテンツの管理を行う。このデータのコンテンツは、メモリ１９０上に蓄積されている。蓄積サーバ１８１は、処理サーバ１４０や採点者コンピュータ１７０側からの要求に応じて、コンテンツを取得し、送信する。
【００７９】
なお、上記サーバなどのコンピュータは、汎用的かつ一般的なハードウェア構成を含んでいるが、この部分の詳細な説明は省略する。
【００８０】
次に、本実施形態の作用を説明する。本実施の形態では、ユーザが試験問題を要求し、その試験問題をユーザが解答し、解答された答案をセンター側（処理サーバ１４０など）で解答及び採点し、ユーザ側へ返送する場合を説明する。
【００８１】
なお、以下の説明では、記録用紙Ｐである同一の原稿について各種処理が施されるが、記録用紙Ｐに問題情報が形成された原稿Ｇを問題用紙Ｍ、問題用紙Ｍにユーザが答案を記入した原稿Ｇを答案用紙Ｔ、答案用紙Ｔに解答及び採点が施された原稿Ｇを採点結果用紙Ｓとして説明する。この答案用紙Ｔに該答案用紙Ｔを受け付けたことを表す受付情報などを追記した原稿Ｇを答案用紙ＴＡとして説明する。
【００８２】
また、記録用紙Ｐは本発明の記録材料に相当し、答案用紙ＴＡ及び採点結果用紙Ｓは本発明の情報付加原稿に相当し、答案用紙ＴＡは本発明の受付済み原稿に相当する。
【００８３】
図３には、本実施の形態にかかる原稿情報付加システム１００における、原稿及び原稿に形成される画像情報の授受プロセスを示した。
【００８４】
まず、ユーザは、問題の提供を要求するとき、画像処理装置１１０のキーボード１２８により、ユーザを識別するためのＩＤを入力する（プロセスＰｃ０１）。画像処理装置１１０は、このＩＤ入力を受け付けて（プロセスＰｃ０２）、入力されたＩＤのユーザが会員登録されたユーザであるか否かを通信回線１０２を介してセンタ側（処理サーバ１４０側）へ問い合わせる（プロセスＰｃ０２Ａ）。センタ側の処理サーバ１４０は、問い合わせがなされたＩＤのユーザが登録済みであることを照会し（プロセスＰｃ０３）、該当するユーザが存在するときには、承認しかつ画像処理装置１１０へ返信する（プロセスＰｃ０３Ａ）。
【００８５】
画像処理装置１１０は、センタ側の承認を受けて問題作成処理を実行し（プロセスＰｃ０４）、作成された問題をプリンタ１２６で印刷し（プロセスＰｃ０５）、排出トレイ２８２へ出力することで、問題用紙Ｍが形成されて、これをユーザに提供する（プロセスＰｃ０５Ａ）。この問題用紙Ｍは、ユーザが持ち帰り、問題に対応する答案を書き込むことで、答案用紙Ｔが形成される（プロセスＰｃ０６）。
【００８６】
ユーザは、問題用紙Ｍに答案を記入した答案用紙Ｔを持参して、画像処理装置１１０のスキャナ１２４において答案用紙Ｔのスキャン（答案用紙Ｔに形成された画像を読み取る処理）を実行させることで（プロセスＰｃ０７）、答案用紙Ｔに対する採点要求を行う（プロセスＰｃ０７Ａ）。画像処理装置１１０では、答案用紙Ｔから読み取った画像を保存し（プロセスＰｃ０８）、答案用紙Ｔ上のＩＤを認識し（プロセスＰｃ０９）、ＩＤに対応するユーザの答案用紙Ｔを受け付けたことを表す受け付け情報を生成する（プロセスＰｃ１０）。
【００８７】
この受付情報は、読み取った答案用紙Ｔ上に追記するべくプリンタ１２６で記録される（プロセスＰｃ１２）。受付情報が追記された答案用紙Ｔは、排出トレイ２８２へ出力することで、ユーザに提供する。この受付情報が追記された答案用紙Ｔは、ユーザが持ち帰り、採点及び解答が終了するまでユーザが所持する（プロセスＰｃ１６）。
【００８８】
一方、受付情報が生成された答案用紙Ｔの画像データは、生成された受付情報と共にセンタ（処理サーバ１４０）へ向けて送信される（プロセスＰｃ１１）。処理サーバ１４０では、答案用紙Ｔの画像データを受信し（プロセスＰｃ１３）、その答案用紙Ｔに対応する模範解答を作成し（プロセスＰｃ１４）、ＩＤ及び受付情報と共に保存する（プロセスＰｃ１５）。
【００８９】
ユーザは、受付情報が追記された答案用紙Ｔを持参して、画像処理装置１１０のスキャナ１２４において答案用紙Ｔのスキャンを実行させることで（プロセスＰｃ１７）、答案用紙Ｔに対する採点や解答の実行を要求する。画像処理装置１１０では、答案用紙Ｔから読み取った画像からＩＤを読み取ることでそのＩＤを認識し（プロセスＰｃ１８）、認識結果のＩＤによるユーザの模範解答の作成が終了しているか否かを通信回線１０２を介してセンタ側（処理サーバ１４０側）へ問い合わせる（プロセスＰｃ１８Ａ）。センタ側の処理サーバ１４０は、問い合わせがなされたユーザのＩＤを確認し（プロセスＰｃ１９）、該当するユーザの解答を選択し（プロセスＰｃ２０）、画像処理装置１１０へ返信する（プロセスＰｃ２０Ａ）。
【００９０】
画像処理装置１１０は、センタ側からの模範解答のデータを受信し（プロセスＰｃ２１）、受信したデータにより答案用紙Ｔに追記するための解答画像を生成する（プロセスＰｃ２２）。生成された解答画像は、プリンタ１２６において答案用紙Ｔに印刷され（プロセスＰｃ２３）、排出トレイ２８２へ出力することで、採点結果用紙Ｓが形成されて、これをユーザに提供する（プロセスＰｃ２４）。
【００９１】
このように、ユーザの要求により、問題情報が形成された問題用紙Ｍが原稿Ｇとして形成され、その問題用紙Ｍに答案が記入された原稿Ｇである答案用紙Ｔを読み取り、受付情報を答案用紙Ｔに追記する。次に、受付情報が追記された答案用紙Ｔ（答案用紙ＴＡ）から受付情報を読み取り把握して、対応する模範解答などを受付情報が追記された答案用紙Ｔに追記することで採点結果用紙Ｓを形成する。従って、単一の原稿Ｇに問題形成、答案形成、解答形成の各形成がなされるので、単一の原稿を媒体として情報授受が可能となる。
【００９２】
なお、上記各プロセスでは、課金処理を施すことが可能である。例えば、記録用紙Ｐに画像形成する処理や画像の読み取り処理に課金することで、ユーザにとって出力単位での課金が可能となる。すなわち、記録用紙Ｐに問題情報が形成された問題用紙Ｍを出力するプロセスＰｃ０１〜Ｐｃ０５を第１の単位とする。そして、問題用紙Ｍに答案が記入された答案用紙Ｔを読み取り、解答を要求したときに受付情報を答案用紙Ｔに追記して答案用紙ＴＡを出力するプロセスＰｃ０７〜Ｐｃ１２を第２の単位とする。さらに、答案用紙ＴＡに対応する模範解答などを答案用紙ＴＡに追記することで採点結果用紙Ｓを出力するプロセスＰｃ１７〜Ｐｃ２３を第３の単位とする。これらの単位毎に課金処理をすることが可能である。これらの第１の単位乃至第３の単位の何れかの単位をさらに細分化して課金処理を施すことが可能なことは勿論である。
【００９３】
なお、原稿Ｇに形成する画像の画像データは本発明の付加情報及び画像情報に相当し、図形５０６、５０８、５１６、５２０は本発明の特定画像情報による画像に相当し、問題領域５００に形成される問題データは本発明の問題情報に相当する。また、図形５０６、５０８、５１６、５２０は本発明の識別情報による画像に相当し、問題種別の図形５０６は本発明の問題識別情報による画像に相当し、図形５０８は本発明の記入者情報による画像に相当する。
【００９４】
次に、原稿情報付加システム１００の各装置における動作を詳細に説明する。本実施の形態では、画像処理装置１１０と、処理サーバ１４０とについて、処理の詳細を説明する。
【００９５】
まず、画像処理装置１１０では、電源投入されると図４に示す処理ルーチンが実行される。図４のステップ３００では、初期表示処理が実行される。この初期表示処理は、ユーザが原稿Ｇに関する各種処理として、問題要求、採点要求、及び採点結果出力を要求することを選択するために、これらの各項目をディスプレイ１３０へ選択可能に表示する処理である。
【００９６】
次のステップ３０２では、ディスプレイ１３０の選択入力を判別することによりユーザによる選択指示がなされるまで否定判断を繰り返し、肯定されるとステップ３０４へ進む。なお、このとき、後述するキーボード１２８によるユーザのＩＤの入力がなされたか否かも判断するようにしてもよい。
【００９７】
ステップ３０４では、上記ステップ３０２で選択入力された処理分類に応じて、問題要求、採点要求、及び採点結果出力を要求の何れかが判別される。ステップ３０２の入力結果が問題要求の場合にはステップ３０６へ進み、問題用紙Ｍを作成する問題作成処理が実行された後に本ルーチンを終了する。また、ステップ３０２の入力結果が採点要求の場合にはステップ３０８へ進み、問題用紙Ｍに答案が記入された答案用紙Ｔに対する処理依頼である解答依頼処理が実行された後に本ルーチンを終了する。同様に、ステップ３０２の入力結果が採点結果出力要求の場合にはステップ３１０へ進み、採点結果用紙Ｓを作成する最終成果物作成処理が実行された後に本ルーチンを終了する。
【００９８】
次に、図４のステップ３０６の詳細を説明する。図４のステップ３０６では、図５の問題要求処理ルーチンが実行される。
【００９９】
まず、ステップ３１２では、キーボード１２８によるユーザのＩＤの入力がなされるまで否定判断を繰り返し、肯定されると、ステップ３１４へ進む。ステップ３１４では、上記ステップ３１２で入力されたと判別されたＩＤをセンタ（処理サーバ１４０）へ送信してステップ３１６へ進む。このとき、詳細は後述するが、処理サーバ１４０は、ＩＤが登録ユーザのものであるか否かを判別し、その判別結果を返信する。
【０１００】
従って、ステップ３１２の判断時のＩＤ入力は上記プロセスＰｃ０１に相当し、ステップ３１４の処理は上記プロセスＰｃ０２及びＰｃ０２Ａに相当する。
【０１０１】
ステップ３１６では、処理サーバ１４０からの返信結果から送信したＩＤが承認されたか否かを判別する。登録ユーザであるときは、ステップ３１６で肯定されてステップ３２０において問題データを生成した後に、次のステップ３２２で問題用紙Ｍを印刷して本ルーチンを終了する。
【０１０２】
ステップ３２０では、ＩＤに対して予め定めた問題データ（問題情報）を生成する。例えば、メモリ１２０に予め記憶されている問題データを読み取ることで生成したり、処理サーバ１４０から問題データを受け取ることで生成したりする。次のステップ３２２では、上記ステップ３２０で生成した問題データを記録用紙Ｐへ形成する印刷を実施することにより、問題用紙Ｍを作成する。
【０１０３】
従って、ステップ３２０の処理は上記プロセスＰｃ０４に相当し、ステップ３２２の処理は上記プロセスＰｃ０５に相当する。
【０１０４】
一方、ステップ３１６で否定されると、ステップ３１８においてＩＤ登録処理を実行した後に本ルーチンを終了する。このＩＤ登録処理は、処理サーバ１４０へユーザのＩＤを登録する処理であり、ユーザの氏名や居所、連絡先などの各種データの入力を促し、そのデータを処理サーバ１４０へ送信することでユーザ登録を要求する処理である。
【０１０５】
図９には、上記ステップ３２２で形成された問題用紙Ｍの一例を示した。問題用紙Ｍは、問題データによる問題が形成された問題領域５００を含んでおり、その上部には、氏名及び採点の記入欄５０２が設けられている。この問題領域５００では、問題欄の下欄が答案記入のための空白領域５１２とされている。また、問題領域５００の下部には、詳細を後述する受付に関するデータ及び解答に関するデータの記入領域５０４が設けられている。さらに、問題用紙Ｍの最上部の空白領域５１０には、上記ステップ３２０において生成された問題データの種類を表す問題種別の図形５０６、及び上記承認を得たＩＤの図形５０８が連続して記録される。
【０１０６】
これらの問題種別の図形５０６、及びＩＤを表す図形５０８は、後述するように、当該問題用紙Ｍを答案用紙Ｔとして読み取るときに画像処理装置１１０で判別すなわちスキャナ１２４で読み取り可能な形式により記録されればよい。例えば、文字データでもよいが、容易には判読が困難な図形データ（グリフ）であることが好ましい。なお、これら問題種別の図形５０６等は問題用紙Ｍ上に形成されるため、ユーザの視認を妨げない判読不能画像形式で記録することがさらに好ましい。判読不能画像形式の一例には、２次元バーコード形式などの画像形式がある。さらにまた、電子透かし（Ｗａｔｅｒ　Ｍａｒｋ）形式、や黄色や記録用紙Ｐの下地の色に近い色画像形式を採用することで、画像そのものの判読も困難に形成することで、その効果はさらに向上する。
【０１０７】
また、図１０には、上記ステップ３２２で形成された問題用紙Ｍに、ユーザが答案を記入した結果である答案用紙Ｔの一例を示した。答案用紙Ｔは、問題用紙Ｍに答案などが追記されたものであり、図１０の例では、手書きによる記入情報５１４として、記入欄５０２の氏名欄への氏名及び空白領域５１２への答案が示されている。
【０１０８】
次に、図４のステップ３０８の詳細を説明する。図４のステップ３０８では、図６の採点要求処理ルーチンが実行される。
【０１０９】
まず、ステップ３２４では、答案用紙Ｔのスキャン処理（スキャナ１２４における画像読取処理）が実行され、次のステップ３２６において上記ステップ３２４でスキャンした画像の画像データをメモリ１２０に保存する。次のステップ３２８では、上記ステップ３２６で保存した画像データに対する送付情報を生成する。
【０１１０】
なお、答案用紙Ｔには、問題種別の図形５０６及び図形５０８が形成済みであるので、ステップ３２４で読み取った画像にこれらの画像が含まれていることを検出すれば、読み取った原稿が答案用紙Ｔであることを把握することが可能である。このため、上記図４のステップ３０２において選択入力を促すことなく、単にスキャン指示（スキャナ１２４における画像読取指示）のみで、ステップ３０４において画像認識を行えば、判断も可能である。
【０１１１】
上記の送付情報は、答案用紙Ｔをスキャンして受け付けたことを表す受付情報と、図形５０６で表された問題種別及び図形５０８で表されたＩＤからなる基本情報と、スキャン画像の画像データと、から構成される。
【０１１２】
基本情報は、問題種別の図形５０６及び承認を得たＩＤの図形５０８を、スキャナ１２４で読み取った図形を認識する認識処理の処理結果から得ることができる。すなわち、スキャナ１２４の読み取り方向を定め、所定位置（答案用紙Ｔの最上部の空白領域５１０）に形成された画像を認識する。なお、基本情報には、記入欄５０２の氏名欄に記入された氏名を文字認識してコード化したデータを含むことができる。なお、基本情報は、画像としてスキャンした答案用紙Ｔに含まれているので、必須ではない。
【０１１３】
受付情報は、答案用紙Ｔをスキャンして受け付けた日時、及び受付番号を含んで構成される。この受付情報は、スキャンした答案用紙Ｔを識別するために生成される。
【０１１４】
次のステップ３３０では、上記ステップ３２８で生成した送付情報をセンタ（処理サーバ１４０）へ向けて送信する。この送信処理は、送付情報をそのままデータとして処理サーバ１４０へ送信してもよく、分離して順次送信してもよい。分離して送信する場合には、分離した各データ間の相互関係を表す相互関係情報を付加することが好ましい。
【０１１５】
また、ステップ３３０では、ファクシミリなどの回線を利用して画像データをイメージデータとして送付してもよい。この場合、送付情報は、スキャン画像の画像データ（イメージデータ）をそのまま送信するときに、上記受付情報を合成して送信することができる。例えば、受付情報の合成は、受付情報を画像としたイメージデータを、スキャン画像の画像データ（イメージデータ）の空白部分に追加すればよい。また、この場合、基本情報は、画像としてスキャンした答案用紙Ｔに含まれているので、必須ではない。
【０１１６】
次のステップ３３２では、スキャナ１２４で画像を読み取った答案用紙Ｔを記録用紙Ｐとして、プリンタ１２６において上記ステップ３２８で生成した受付情報を画像として追加印刷する。このステップ３３２では、画像処理装置１１０における記録用紙Ｐの搬送路として、画像の読み取りが終了した時点で、案内経路２６４へ切り替える。これによって、答案用紙Ｔは、スキャナ１２４からプリンタ１２６の搬送経路２１４へ案内される。これによって、画像の読み取りが終了した答案用紙Ｔを記録用紙Ｐとして搬送することができる。走査出力部２０４では受付情報による画像を走査露光され、画像が形成され、次のステップ３３４で排出トレイ２０２へ排出された後に、本ルーチンを終了し、図４のルーチンへリターンする。
【０１１７】
このステップ３３４では、受付情報が追加記録された答案用紙Ｔが搬送経路２１４を通常の方向（図１の例ではＨ方向）に搬送されて、メインユニット２００から排出され、排出トレイ２０２へ載置される。すなわち、走査出力部２０４により受付情報による画像を走査露光し、搬送経路２１４を搬送させて、受付情報が追加記録された答案用紙Ｔが排出されて排出トレイ２０２へ載置される。
【０１１８】
従って、ステップ３２４の処理は上記プロセスＰｃ０７に相当し、ステップ３２６の処理は上記プロセスＰｃ０８に相当し、ステップ３２８及び３２８の処理がプロセスＰｃ０９、Ｐｃ１０に相当する。また、ステップ３３０の処理は、プロセスＰｃ１１の処理に相当し、ステップ３２２及び３２４の処理がプロセスＰｃ１２に相当する。
【０１１９】
図１１には、上記ステップ３３０で形成された受付情報が追加記録された答案用紙Ｔ（答案用紙ＴＡ）の一例を示した。答案用紙ＴＡは、最上部の空白領域５１０に、問題種別の図形５０６及び図形５０８に連続して、受付番号を表す図形５１６が形成され、記入領域５０４の受付欄に、受付日時が文字データ５１８で形成されている。
【０１２０】
この受付番号を表す図形５１６は、問題種別の図形５０６などと同様にスキャナ１２４で読み取り可能な形式により記録されればよく、例えば、文字データでもよいが、容易には判読が困難な図形データ（グリフ）であることが好ましい。また、文字データ５１８は、ユーザに認知が容易なように、一番的な文字であることが好ましい。
【０１２１】
次に、図４のステップ３１０の詳細を説明する。図４のステップ３１０では、図７の採点結果出力要求処理ルーチンが実行される。
【０１２２】
まず、ステップ３３６では、答案用紙ＴＡのスキャン処理（スキャナ１２４における画像読取処理）が実行され、次のステップ３３８において答案用紙ＴＡ上のＩＤを認識処理を実行する。ステップ３３８の認識処理は、答案用紙ＴＡに形成されている、図形５０６、図形５０８及び図形５１６を認識する処理である。すなわち、ステップ３３６で読み取った画像からこれらの画像を検出し、データとして抽出する処理である。
【０１２３】
なお、答案用紙ＴＡには、図形５０６、図形５０８及び図形５１６が形成済みであるので、上述の答案用紙Ｔと同様に、ステップ３３６で読み取った画像にこれらの画像が含まれていることを検出すれば、読み取った原稿が答案用紙ＴＡであることを把握することが可能である。このため、上記図４のステップ３０２において選択入力を促すことなく、単にスキャン指示（スキャナ１２４における画像読取指示）のみで、ステップ３０４において画像認識を行えば、判断も可能である。
【０１２４】
次のステップ３４０では、上記ステップ３３８で認識したＩＤのユーザに対する問い合わせデータをセンタ（処理サーバ１４０）へ向けて送信する。この送信処理は、問題種別、ユーザのＩＤ，そして受付番号からなるデータを送信することで、模範解答の作成が終了しているかを問い合わせることに対応させている。処理サーバ１４０は、模範解答の作成が終了したり採点が終了したりしているときは、模範解答有りのデータを送信し、終了していないときは模範解答なしのデータを送信する（詳細は後述）。
【０１２５】
次のステップ３４２では、処理サーバ１４０からのデータを受信し、受信データが模範解答有りを表すデータであるか否かを判断する。ステップ３４２で肯定されると、ステップ３４４へ進み、処理サーバ１４０から送信される模範解答のデータを受信する。次のステップ３４６では、受信した模範解答のデータについて画像形成のための画像を生成する画像形成処理を実行し、次のステップ３４８において答案用紙ＴＡに模範解答を追加印刷する。この追加印刷が終了すると、本ルーチンを終了し、図４の処理ルーチンへリターンする。
【０１２６】
すなわち、ステップ３４６では、ステップ３４４において受信した模範解答の画像を生成する。そして、次のステップ３４８では、上記ステップ３３６においてスキャナ１２４で画像を読み取った答案用紙ＴＡを記録用紙Ｐとして、プリンタ１２６において上記ステップ３４６で生成した模範解答の画像を追加印刷する。このステップ３４６では、画像処理装置１１０における記録用紙Ｐの搬送路として、画像の読み取りが終了した時点で、案内経路２６４へ切り替える。これによって、答案用紙ＴＡは、スキャナ１２４からプリンタ１２６の搬送経路２１４へ案内される。これによって、画像の読み取りが終了した答案用紙ＴＡを記録用紙Ｐとして搬送することができる。走査出力部２０４では受付情報による画像を走査露光して、画像が形成された採点結果用紙Ｓが排出トレイ２０２へ排出される。
【０１２７】
このステップ３４８では、模範解答が追加記録された採点結果用紙Ｓが搬送経路２１４を通常の方向（図１の例ではＨ方向）に搬送されて、メインユニット２００から排出され、排出トレイ２０２へ載置される。すなわち、走査出力部２０４により模範解答による画像を走査露光し、搬送経路２１４を搬送させて、模範解答が追加記録された採点結果用紙Ｓが排出されて排出トレイ２０２へ載置される。
【０１２８】
従って、ステップ３３６の処理は上記プロセスＰｃ１７に相当し、ステップ３３８の処理は上記プロセスＰｃ１８に相当し、ステップ３４０の処理は上記プロセスＰｃ１８Ａに相当し、ステップ３４２の肯定判断の後のステップ３４４の処理がプロセスＰｃ２１に相当する。また、ステップ３４６の処理は、プロセスＰｃ２２の処理に相当し、ステップ３４８の処理がプロセスＰｃ２３に相当する。
【０１２９】
一方、ステップ３４２で否定されると、ステップ３５０へ進み、メッセージの報知処理を実行し、次のステップ３５２において、答案用紙ＴＡをユーザへ返却するために出力する。ステップ３５０では、模範解答の作成が未だ終了していないことを、ディスプレイ１３０へ表示することで報知処理がなされる。
【０１３０】
また、ステップ３５２では、上記ステップ３３６においてスキャナ１２４で画像を読み取った答案用紙ＴＡを、画像の追加印刷を実行することなく、排出トレイ２０２へ排出する。すなわち、原稿載置台２８０からの答案用紙ＴＡを案内経路２６４へ案内することなく、そのまま排出トレイ２８２へ排出する。なお、画像の読み取りが終了した時点で、案内経路２６４へ切り替えられているときは、画像形成の処理を実行することなく、答案用紙ＴＡを搬送経路２１４へ案内した後に、搬送経路２１４を通常の方向（図１の例ではＨ方向）に搬送させ、メインユニット２００から排出させて排出トレイ２０２へ排出する。
【０１３１】
図１２には、上記ステップ３４６で生成された画像のイメージの一例を示し、図１３には、上記ステップ３４６で形成された画像が答案用紙ＴＡに追加記録された最終成果物である採点結果用紙Ｓの一例を示した。
【０１３２】
上記ステップ３４６で生成され、採点結果用紙Ｓとして形成されるべき画像のイメージには、最上部の空白領域５１０で図形５０６、５０８、５１６に連続した位置に、解答済みを表す解答済情報の図形５２０、及び記入領域５０４の解答欄の位置に解答日時が文字データ５３２として含まれている。また、記入欄５０２の採点欄の位置に、採点結果を表す点数の文字データ５２２が含まれ、問題データの各々に対応する位置に、正誤を表す図形イメージ５２４が含まれている。
【０１３３】
また、最上部の空白領域の位置には、採点者の手書きによるコメント５２６が含まれ、採点者による手書きの注意書きを付加する問題データの各々に対応する位置に、注意書きを表すイメージ５３０が含まれている。また、誤った解答に対して予め定めた解説を付加する場合に、その問題データの各々に対応する位置に、解説を表すイメージ５２８が含まれている。
【０１３４】
図１３に示すように、図１１に示した答案用紙ＴＡに、図１２に示した画像のイメージを追加記録することで、最終成果物である採点結果用紙Ｓが形成される。
【０１３５】
なお、上記最終成果物として採点結果用紙Ｓを作成するときに、採点結果用紙Ｓの裏面に余白領域が存在するとき、画像処理装置１１０が両面モジュール２５４を備えることで、その余白領域にさらに情報を追加記録することができる。例えば、図１４に示すように、採点結果用紙Ｓの裏面ＳＡの余白領域に、問題毎の解説をまとめて記録したり、採点結果の総評などを記録することが可能となる。
【０１３６】
次に、原稿情報付加システム１００の処理サーバ１４０について、処理の詳細を説明する。処理サーバ１４０では、電源投入されると図８に示す処理ルーチンが実行される。
【０１３７】
図８のステップ４００では、他の装置からの信号を受信するまで否定判断を繰り返し、肯定されると、ステップ４０２へ進み、受信した信号の種類を判別する。ここでは、他の装置は、画像処理装置１１０である。
【０１３８】
すなわち、ステップ４０２では、画像処理装置１１０からの問い合わせまたは送付情報の受信に対応して、照会要求、答案送信、及び採点結果出力要求の何れかが判別される。すなわち、画像処理装置１１０から最初にＩＤの問い合わせがなされたとき（図５のステップ３１４における送信）、照会要求と判別し、ステップ４０４へ進む。また、画像処理装置１１０から送付情報が送信されたとき（図６のステップ３３０における送信）、答案送信と判別し、ステップ４１２へ進む。また、画像処理装置１１０で認識されたＩＤの問い合わせがなされたとき（図７のステップ３４０における送信）、採点結果出力要求と判別し、ステップ４２０へ進む。
【０１３９】
なお、上記ステップ４０４の処理は上記プロセスＰｃ０３に相当し、ステップ４０６の照会結果返信のうち、該当するユーザが存在するときに承認しかつ画像処理装置１１０へ返信する処理は上記プロセスＰｃ０３Ａに相当する。
【０１４０】
画像処理装置１１０から最初にＩＤの問い合わせがなされたときに実行されるステップ４０４では、照会要求がなされたＩＤについて、メモリ１５０に記憶されたユーザデータベースを参照し、該当ＩＤを探索することで照会処理を実行し、その照会結果を、次のステップ４０６で画像処理装置１１０へ向けて返信した後にステップ４０８へ進む。ステップ４０８では該当ＩＤが存在するか否かを判断し、照会結果が該当ＩＤ有りの場合には、肯定されてそのまま本ルーチンを終了する。
【０１４１】
一方、照会結果が該当ＩＤなしの場合には、ステップ４０８で否定され、ステップ４１０において登録処理が実行される。この登録処理は、上記ステップ４０６として該当ＩＤなしのデータを返信した場合に、画像処理装置１１０から未登録のへユーザについてＩＤを登録するためのユーザの氏名や居所、連絡先などの各種データが送信されたときに、これを受信してメモリ１５０のユーザデータベースにユーザ登録する処理である。
【０１４２】
また、画像処理装置１１０から送付情報が送信されたときに実行されるステップ４１２では、画像処理装置１１０から送信された送付情報についてＩＤを確認する。このＩＤ確認処理は、送付情報に含まれる基本情報からＩＤを抽出する処理である。この抽出は、データとして送付された基本情報から抽出すればよい。次のステップ４１４ではイメージデータ（スキャン画像の画像データ）を受信する。すなわち、スキャナ１２４で読み取った答案用紙Ｔを受信する処理である。なお、上記ＩＤ確認処理は、答案用紙Ｔをスキャンしたときの図形５０８で表されたＩＤから抽出してもよい。すなわち、スキャナ１５４の読み取り方向を定め、所定位置（答案用紙Ｔの最上部の空白領域５１０）に形成された画像を認識すればよい。
【０１４３】
上記ステップ４１４でスキャン画像の画像データを受信した後には、そのスキャン画像の画像データをＩＤ及び受付情報と共にメモリ１５０に格納する。
【０１４４】
次のステップ４１６では、メモリ１５０に格納したスキャン画像の画像データに対する模範解答のデータ作成処理が実行される。この模範解答のデータ作成処理は、基本情報に含まれる、問題種別を認識する認識処理の処理結果から得ることができる。すなわち、基本情報には、問題種別が含まれているので、この問題種別に対応する解答をメモリ１５０から抽出することで、ユーザのＩＤによる問題に対応する模範解答を作成することができる。なお、ファクシミリなどでイメージとして答案用紙Ｔが送信された場合には、問題種別の図形５０６を認識する認識処理の処理結果から得ることができる。この場合、スキャナ１５４の読み取り方向を定め、所定位置（答案用紙Ｔの最上部の空白領域５１０）に形成された画像を認識する。
【０１４５】
上記のステップ４１６の処理は、予め定めた採点者へ依頼することができる。この場合、採点者コンピュータ１７０へ、ステップ４１４で受け取った画像データを転送する。採点者コンピュータ１７０側では、採点者がこの画像データを参照することで、解答や採点を行うことができる。この模範解答の作成は、図１２に示す解答画像として形成されるべきイメージデータと注意書きなどのデータのみから構成される。
【０１４６】
次のステップ４１８では、上記ステップ４１６で作成された模範解答を、ステップ４１２で確認したＩＤのユーザでかつ受付情報に対応するデータと連携してメモリ１５０に記憶する。なお、ここでは、画像処理装置１１０から送信された答案用紙Ｔなどのデータをメモリ１５０に記憶する場合を説明するが、蓄積サーバ１８１へ蓄積するようにしてもよい。
【０１４７】
なお、ステップ４１２及び４１４の処理は上記プロセスＰｃ１３に相当し、ステップ４１６の処理は上記プロセスＰｃ１４に相当し、ステップ４１８の処理は上記プロセスＰｃ１５に相当する。
【０１４８】
また、画像処理装置１１０で認識されたＩＤの問い合わせがなされたときに実行されるステップ４２０では、画像処理装置１１０から送信された送付情報についてＩＤを確認する。このＩＤ確認処理は、上記ステップ４１２と同様にしてＩＤを確認する。なお、このステップ４２０では、ＩＤの確認と共に、送付情報に対する模範解答がメモリ１５０に格納されているかを検索する。
【０１４９】
次のステップ４２２では、上記ステップ４２０の検索結果により、模範解答があるか否かを判断する。ステップ４２２で肯定されると、ステップ４２４においてメモリ１５０から模範解答を読み出して、次のステップ４２６で画像処理装置１１０へ送信した後に本ルーチンを終了する。一方、ステップ４２２で否定されたときは、ステップ４２８へ進み、模範解答の作成が未完であることを画像処理装置１１０へ送信した後に本ルーチンを終了する。
【０１５０】
なお、ステップ４２０の処理は上記プロセスＰｃ１９に相当し、上記模範解答がありステップ４２２で肯定されてステップ４２４及び４２６で、それを読み出して送信する処理は上記プロセスＰｃ２０に相当する。
【０１５１】
以上説明したように、本実施の形態によれば、ユーザの要求により画像処理装置１１０から問題用紙Ｍが出力される。この問題用紙ＭにはユーザのＩＤ及び問題を識別するためのデータが追記される。その問題用紙Ｍに答案をユーザが記入したことによる答案用紙Ｔに対する解答や採点をするために、その答案用紙Ｔを画像処理装置１１０で読み取る。この読み取り時には、追記されたＩＤ及び問題を識別するためのデータを認識することで、容易にユーザ及び問題を認識することができる。この読み取りに対応して解答や採点を依頼すると共に、解答や採点の依頼を受け付けた受付情報を答案用紙Ｔに追記する。答案用紙Ｔに対する解答は、その答案用紙Ｔを画像処理装置１１０で読み取ることにより、判別し、答案用紙Ｔに解答や採点が追記され、採点結果用紙Ｓが形成される。この採点結果用紙Ｓはユーザへ戻される。このように、本実施の形態では、原稿Ｇに対してその原稿Ｇに形成された画像を読み取ると共に、読み取った画像に対応するデータを読み取った原稿Ｇに追加記録する。これによって、単一の原稿Ｇを媒介として情報を随時追加できる。このため、ほぼ同様の情報が記録された記録用紙Ｐが複数形成されることはない。従って、単一の原稿Ｇのみによる原稿管理を実行することができる。
【０１５２】
上記実施の形態では、スキャナ１２４で原稿Ｇから画像を読み取る場合を説明したが、本発明はスキャナ１２４に限定されるものではなく、手差しトレイ２０６に載置された原稿Ｇを画像読取センサ２６０で読み取る場合にも容易に適用することができる。
【０１５３】
また、上記実施の形態では、ＹＭＣＫの各色による多色画像を形成することが可能な画像処理装置１１０に本発明を適用した場合を説明したが、本発明は多色画像形成が可能な装置に限定されるものではない。例えば、白黒画像などの単色画像を形成することが可能な画像形成装置への適用が可能であると共に、２色以上の複数色画像を形成することが可能な画像形成装置への適用が可能である。
【０１５４】
以上、本発明の実施の形態を説明したが、本発明は、上記実施の形態に限定されるものではなく、その要旨を逸脱しない範囲で当業者が実施の形態の修正や代用を成し得ることは自明である。
【０１５５】
【発明の効果】
以上説明したように本発明によれば、画像を読み取った原稿に対して、さらに画像を追加して形成することができ、原稿に形成された画像の読み取り処理と、その読み取りに対応する画像を形成する画像形成処理とを連携させることが可能となり、画像を読み取った原稿に追記記録できる再帰的な処理が可能となる、という効果がある。
【図面の簡単な説明】
【図１】本発明の実施の形態にかかる画像処理装置の概略構成を示したイメージ図である。
【図２】本発明の実施の形態にかかる原稿情報付加システムの構成を模式的に示したイメージ図である。
【図３】本発明の実施の形態にかかる原稿情報付加システムにおける原稿及び原稿に形成される画像情報の授受プロセスの流れ説明するための説明図である。
【図４】画像処理装置の処理の流れを示すフローチャートである。
【図５】図４のステップ３０６の処理の流れを示すフローチャートである。
【図６】図４のステップ３０８の処理の流れを示すフローチャートである。
【図７】図４のステップ３１０の処理の流れを示すフローチャートである。
【図８】処理サーバの処理の流れを示すフローチャートである。
【図９】画像処理装置で形成される問題用紙Ｍの一例を示すイメージ図である。
【図１０】問題用紙Ｍに答案が記入された答案用紙Ｔの一例を示すイメージ図である。
【図１１】答案用紙Ｔに対する解答要求を画像処理装置で受け付けたときに形成される答案用紙ＴＡの一例を示すイメージ図である。
【図１２】答案用紙ＴＡに対応する模範解答の画像の一例を示すイメージ図である。
【図１３】答案用紙ＴＡに模範解答の画像を追加記録した採点結果用紙Ｓの一例を示すイメージ図である。
【図１４】採点結果用紙Ｓの裏面を示すイメージ図である。
【符号の説明】
Ｇ…原稿
Ｍ…問題用紙
Ｐ…記録用紙
Ｓ…採点結果用紙
Ｔ、ＴＡ…答案用紙
１００…原稿情報付加システム
１０２…通信回線
１１０…画像処理装置
１２０…メモリ
１２４…スキャナ
１２６…プリンタ
１３０…ディスプレイ
１３２…コインキット
１４０…処理サーバ
１５０…メモリ
１５４…スキャナ
２１４…搬送経路
２２４…手差し搬送経路
２３４…排出搬送経路
２５４…両面モジュール
２６０…画像読取センサ
２６４…案内経路
２６６…紙送り機構
２６８…光学機構部
２７０…原稿載置部
２７２…読取部
２８４…搬送機構
２９０…案内装置
【図１】
2004112164.tif 000003
【図２】
2004112164.tif 000004
【図３】
2004112164.tif 000005
【図４】
2004112164.tif 000006
【図５】
2004112164.tif 000007
【図６】
2004112164.tif 000008
【図７】
2004112164.tif 000009
【図８】
2004112164.tif 000010
【図９】
2004112164.tif 000011
【図１０】
2004112164.tif 000012
【図１１】
2004112164.tif 000013
【図１２】
2004112164.tif 000014
【図１３】
2004112164.tif 000015
【図１４】
2004112164.tif 000016